(57)【要約】【課題】円形電子記録媒体の向きを任意の位置で固定することができる円形電子記録媒体ホルダーを提供する。【解決手段】両面強弱粘着シート２と折丁３とＣＤ４（円形電子記録媒体）とからなり、両面強弱粘着シート２はＣＤ４の大きさを越えないサイズであり、両面強弱粘着シート２の弱粘着面２ｂにＣＤ４を貼り付けた状態で両面強弱粘着シート２をその強粘着面２ａにより折丁３に貼り付ける。従来の円形電子記録媒体ホルダーのように収納した円形電子記録媒体が回転するようなことがなく、したがって雑誌等の本に綴じ込んだ状態で円形電子記録媒体の向きを正確にすることができ、開いた時に円形電子記録媒体の向きが所望の向きになっているので体裁がよく、しかも盤面が見やすいものとなる。【選択図】図２
2005149687.tif 000002
【特許請求の範囲】
【請求項１】
両面強弱粘着シートと折丁と円形電子記録媒体とからなり、両面強弱粘着シートは円形電子記録媒体の大きさを越えないサイズであり、両面強弱粘着シートの弱粘着面に円形電子記録媒体を貼り付けた状態で両面強弱粘着シートをその強粘着面により折丁に貼り付けたことを特徴とする円形電子記録媒体ホルダー。
【請求項２】
両面強弱粘着シートの中央部に円形電子記録媒体と同じサイズの孔が形成されていることを特徴とする請求項１に記載の円形電子記録媒体ホルダー。
【請求項３】
両面強弱粘着シートと透明保護シートと折丁と円形電子記録媒体とからなり、両面強弱粘着シートは円形電子記録媒体の大きさを越えないサイズであり、透明保護シートは円形電子記録媒体よりも大きなサイズであって円形電子記録媒体からはみ出る外周部に糊代を有しており、両面強弱粘着シートの弱粘着面に円形電子記録媒体を貼り付けた状態で両面強弱粘着シートをその強粘着面により折丁に貼り付け、さらに円形電子記録媒体を覆って透明保護シートを外周部の糊代で折丁に貼り付けたことを特徴とする円形電子記録媒体ホルダー。
【請求項４】
透明保護シートの外周部に円形電子記録媒体を取り出すためのミシン目が設けられていることを特徴とする請求項３に記載の円形電子記録媒体ホルダー。
【請求項５】
両面強弱粘着シートの中央部に円形電子記録媒体と同じサイズの孔が形成されていることを特徴とする請求項３又は４に記載の円形電子記録媒体ホルダー。
【請求項６】
透明保護シートと折丁と円形電子記録媒体とからなり、透明保護シートは円形電子記録媒体よりも大きなサイズであって中央部と円形電子記録媒体からはみ出る外周部とにそれぞれ糊代を有しており、透明保護シートの中央部の糊代に円形電子記録媒体を貼り付けた状態で透明保護シートをその外周部の糊代で折丁に貼り付けたことを特徴とする円形電子記録媒体ホルダー。
【請求項７】
透明保護シートの外周部に円形電子記録媒体を取り出すためのミシン目が設けられていることを特徴とする請求項６に記載の円形電子記録媒体ホルダー。
【請求項８】
請求項１乃至請求項７に記載の円形電子記録媒体ホルダーを通常の折丁とともに丁合して製本したことを特徴とする円形電子記録媒体付き本。
【発明の詳細な説明】
【技術分野】
【０００１】
本発明は、ＣＤやＤＶＤに代表される円形電子記録媒体を雑誌等の本の付録として添付する場合に用いられる円形電子記録媒体ホルダーの技術分野に属するものである。
【背景技術】
【０００２】
従来、雑誌等の本の付録にＣＤやＤＶＤなどの円形電子記録媒体を添付する場合、透明フィルムや紙からなる封筒状ホルダー、或いはポリプロピレンフィルムと不織布の圧着ホルダーを使用し、このホルダーに円形電子記録媒体を収納したものを折丁に貼り込んだり、折丁間に綴じ込んだりしている。
【特許文献１】特開平９−１７５５８２号公報
【特許文献２】特開平１０−８７５号公報
【特許文献３】特開２００３−２６２７４号公報
【発明の開示】
【発明が解決しようとする課題】
【０００３】
上記した円形電子記録媒体ホルダーは、挿入時に円形電子記録媒体を位置決めすることはできるが、収納後に円形電子記録媒体が動いて盤面の向きが変わってしまう。このように、従来の円形電子記録媒体ホルダーでは、収納した円形電子記録媒体の回転方向への向きを規制できないため、円形電子記録媒体の盤面の絵柄が天地方向等の方向性を有している場合、雑誌等の本に綴じ込んだ状態で向きを正確に見せることができないという欠点があった。
【０００４】
本発明は、このような問題点に鑑みてなされたものであり、その目的とするところは、円形電子記録媒体の向きを任意の位置で固定することができる円形電子記録媒体ホルダーを提供し、併せてその円形電子記録媒体ホルダーを綴じ込んだ円形電子記録媒体付き本を提供することにある。
【課題を解決するための手段】
【０００５】
上記の目的を達成するため、本発明に係る円形電子記録媒体ホルダーは、両面強弱粘着シートと折丁と円形電子記録媒体とからなり、両面強弱粘着シートは円形電子記録媒体の大きさを越えないサイズであり、両面強弱粘着シートの弱粘着面に円形電子記録媒体を貼り付けた状態で両面強弱粘着シートをその強粘着面により折丁に貼り付けたことを特徴としている。
【０００６】
このような構成をした円形電子記録媒体ホルダーでは、両面強弱粘着シートの中央部に円形電子記録媒体と同じサイズの孔が形成されていてもよい。
【０００７】
また、同様の目的を達成するため、本発明に係る別のタイプの円形電子記録媒体ホルダーは、両面強弱粘着シートと透明保護シートと折丁と円形電子記録媒体とからなり、両面強弱粘着シートは円形電子記録媒体の大きさを越えないサイズであり、透明保護シートは円形電子記録媒体よりも大きなサイズであって円形電子記録媒体からはみ出る外周部に糊代を有しており、両面強弱粘着シートの弱粘着面に円形電子記録媒体を貼り付けた状態で両面強弱粘着シートをその強粘着面により折丁に貼り付け、さらに円形電子記録媒体を覆って透明保護シートを外周部の糊代で折丁に貼り付けたことを特徴としている。
【０００８】
このような構成をした円形電子記録媒体ホルダーでは、透明保護シートの外周部に円形電子記録媒体を取り出すためのミシン目が設けられていてもよい。また、両面強弱粘着シートの中央部に円形電子記録媒体と同じサイズの孔が形成されていてもよい。
【０００９】
また、同様の目的を達成するため、本発明に係るさらに別のタイプの円形電子記録媒体ホルダーは、透明保護シートと折丁と円形電子記録媒体とからなり、透明保護シートは円形電子記録媒体よりも大きなサイズであって中央部と円形電子記録媒体からはみ出る外周部とにそれぞれ糊代を有しており、透明保護シートの中央部の糊代に円形電子記録媒体を貼り付けた状態で透明保護シートをその外周部の糊代で折丁に貼り付けたことを特徴としている。
【００１０】
このような構成をした円形電子記録媒体ホルダーでは、透明保護シートの外周部に円形電子記録媒体を取り出すためのミシン目が設けられていてもよい。
【００１１】
そして、本発明に係る円形電子記録媒体付き本は、上記した何れかのタイプの円形電子記録媒体ホルダーを通常の折丁とともに丁合して製本したものである。
【発明の効果】
【００１２】
本発明の円形電子記録媒体ホルダーは、両面強弱粘着シートや透明保護シートにより円形電子記録媒体を折丁に固定するように構成したので、従来の円形電子記録媒体ホルダーのように収納した円形電子記録媒体が回転するようなことがなく、したがって雑誌等の本に綴じ込んだ状態で円形電子記録媒体の向きを正確にすることができ、開いた時に円形電子記録媒体の向きが所望の向きになっているので体裁がよく、しかも盤面が見やすいものとなる。
【発明を実施するための最良の形態】
【００１３】
図１及び図２は本発明に係る円形電子記録媒体ホルダーの一例を示すもので、図１はその正面図、図２は円形電子記録媒体ホルダーを構成する各部材を離間状態で示す斜視図である。なお、以下の具体例は円形電子記録媒体としてＣＤを例に挙げて説明するが、ＤＶＤなど他の円形電子記録媒体についても同様に適用できることは言うまでもない。
【００１４】
この円形電子記録媒体ホルダー１は、図２に示すように、両面強弱粘着シート２と折丁３とＣＤ４とからなる。両面強弱粘着シート２は、裏側が強粘着面２ａで表側が弱粘着面２ｂになっており、ＣＤ４と同じ大きさ（直径１２ｃｍ）にカットされている。そして、両面強弱粘着シート２の弱粘着面２ｂにＣＤ４を貼り付け、その表側にＣＤ４を貼り付けた状態で両面強弱粘着シート２を裏側の強粘着面２ａにより折丁３に貼り付けることで図１に示す円形電子記録媒体ホルダー１が形成されている。なお、両面強弱粘着シート２はＣＤと同じ大きさである必要はなく、ＣＤ４の大きさを越えないサイズであればよい。
【００１５】
このように、図１の円形電子記録媒体ホルダー１は、両面強弱粘着シート２を介して折丁３に固定しているため、ＣＤ４を位置決めして折丁３に取り付けることにより、ＣＤ４の盤面の向きを任意の位置で固定することができる。また、使用時に際して、ＣＤ４は弱粘着面２ｂから容易に剥がすことができる。
【００１６】
上記した図１に示す円形電子記録媒体ホルダー１においては、両面強弱粘着シート２の中央部にＣＤ４と同じサイズ（直径１５ｍｍ）の孔が形成してあってもよい。
【００１７】
図３及び図４は本発明に係る円形電子記録媒体ホルダーの別の例を示すもので、図３はその正面図、図４は円形電子記録媒体ホルダーを構成する各部材を離間状態で示す斜視図である。
【００１８】
この円形電子記録媒体ホルダー１は、図４に示すように、両面強弱粘着シート２と透明保護シート５と折丁３とＣＤ４とからなる。両面強弱粘着シート２は、裏側が強粘着面２ａで表側が弱粘着面２ｂになっており、ＣＤ４と同じ大きさ（直径１２ｃｍ）にカットされている。透明保護シート５は、樹脂フィルムからなるもので、ＣＤ４よりも一回り大きなサイズであってＣＤ４からはみ出る外周部５ａに糊代を有している。そして、両面強弱粘着シート２の弱粘着面２ｂにＣＤ４を貼り付けた状態で両面強弱粘着シート２をその強粘着面２ａにより折丁に貼り付け、さらにＣＤ４を覆って透明保護シート５を外周部５ａの糊代で折丁３に貼り付けることで図３に示す円形電子記録媒体ホルダー１が形成されている。なお、両面強弱粘着シート２はＣＤ４と同じ大きさである必要はなく、ＣＤ４の大きさを越えないサイズであればよい。
【００１９】
このように、図３の円形電子記録媒体ホルダー１は、両面強弱粘着シート２を介して折丁３に固定しているため、ＣＤ４を位置決めして折丁３に取り付けることにより、ＣＤ４の盤面の向きを任意の位置で固定することができ、しかも透明保護シート５によりＣＤ４の盤面が透明保護シート５で覆われた状態となる。
【００２０】
上記した図３に示す円形電子記録媒体ホルダー１においては、透明保護シート５の外周部にＣＤ４を取り出すためのミシン目が設けられていてもよい。このようにミシン目を設けておくことにより、透明保護シート５を外さなくともＣＤ４を取り出すことができる。また、両面強弱粘着シート２の中央部にＣＤ４と同じサイズ（直径１５ｍｍ）の孔が形成してあってもよい。
【００２１】
図５及び図６は本発明に係る円形電子記録媒体ホルダーのさらに別の例を示すもので、図５はその正面図、図６は円形電子記録媒体ホルダーを構成する各部材を離間状態で示す斜視図である。
【００２２】
この円形電子記録媒体ホルダー１は、図６に示すように、透明保護シート５と折丁３とＣＤ４とからなる。透明保護シート５は、ＣＤ４よりも一回り大きなサイズであって中央部５ｂとＣＤ４からはみ出る外周部５ａとにそれぞれ糊代を有している。そして、透明保護シート５の中央部５ｂの糊代にＣＤ４を貼り付けた状態で透明保護シート５をその外周部５ａの糊代で折丁に貼り付けることで図６に示す円形電子記録媒体ホルダー１が形成されている。なお、中央部５ｂはＣＤ４の記録面のない領域（直径４ｃｍ）にあればよく、この領域を越えない範囲の糊代を適宜設ける。
【００２３】
このように、図５の円形電子記録媒体ホルダー１は、透明保護シート５の中央部５ｂでＣＤ４を固定し、外周部５ａで折丁３に固定するようにしているため、ＣＤ４を位置決めして折丁３に取り付けることにより、ＣＤ４の盤面の向きを任意の位置で固定することができ、しかも盤面が透明保護シート５で覆われた状態となる。
【００２４】
上記した図５に示す円形電子記録媒体ホルダー１においては、透明保護シート５の外周部にＣＤ４を取り出すためのミシン目が設けられていてもよい。このようにミシン目を設けておくことにより、透明保護シート５を外さずにＣＤ４を取り出すことができる。
【００２５】
そして、上記３つのタイプの円形電子記録媒体ホルダー１は、折丁として取り扱うことができるので、それぞれ通常の折丁とともに丁合して製本する。したがって、本発明の円形電子記録媒体ホルダー１を用いることにより、通常の製本工程で円形電子記録媒体付き本を作製することができる。
【００２６】
以上、本発明を実施するための最良の形態について詳細に説明したが、本発明による円形電子記録媒体ホルダーは、上記実施の形態に何ら限定されるものではなく、本発明の趣旨を逸脱しない範囲において種々の変更が可能であることは言うまでもない。
【図面の簡単な説明】
【００２７】
【図１】本発明に係る円形電子記録媒体ホルダーの一例を示す正面図である。
【図２】図１の円形電子記録媒体ホルダーを構成する各部材を離間状態で示す斜視図である。
【図３】本発明に係る円形電子記録媒体ホルダーの別の例を示す正面図である。
【図４】図３の円形電子記録媒体ホルダーを構成する各部材を離間状態で示す斜視図である。
【図５】本発明に係る円形電子記録媒体ホルダーのさらに別の例を示す正面図である。
【図６】図５の円形電子記録媒体ホルダーを構成する各部材を離間状態で示す斜視図である。
【符号の説明】
【００２８】
１  円形電子記録媒体ホルダー
２  両面強弱粘着シート
２ａ  強粘着面
２ｂ  弱粘着面
３  折丁
４  ＣＤ
５  透明保護シート
５ａ  外周部
５ｂ  中央部
【図１】
2005149687.tif 000003
【図２】
2005149687.tif 000004
【図３】
2005149687.tif 000005
【図４】
2005149687.tif 000006
【図５】
2005149687.tif 000007
【図６】
2005149687.tif 000008